(57)【要約】【課題】            物品の収納の邪魔にならず、明所・暗所、昼夜を問わず、バッグ内部を広範囲に照らすことができる照明手段を備え、バッグ内の小物を探す作業が容易に行なえるバッグを提供する。【解決手段】        バッグ外部に太陽電池を備え、バッグ内部には前記太陽電池により発生させた電力を蓄電する蓄電池と、前記蓄電池より電力供給を受けて発光する有機ＥＬパネルとを備える。また、有機ＥＬパネルは、可撓性を有する基材から構成され、前記バッグの底面及び側面のうち少なくとも１つの面に設置される。【選択図】          図１
2015061571.tif 000002
【特許請求の範囲】
【請求項１】
バッグ外部に太陽電池を備え、バッグ内部には前記太陽電池により発生させた電力を蓄電する蓄電池と、前記蓄電池より電力供給を受けて発光する有機ＥＬパネルとを備えることを特徴とするバッグ。
【請求項２】
前記有機ＥＬパネルは、前記バッグの底面及び側面のうち少なくとも１つの面に設置されることを特徴とする請求項１に記載のバッグ。
【請求項３】
前記有機ＥＬパネルは、可撓性を有する基材から構成されることを特徴とする請求項１または２に記載のバッグ。
【発明の詳細な説明】
【技術分野】
【０００１】
本発明は、太陽電池と有機ＥＬパネルとを組み合わせて使用され、その両方を備えるバッグ（鞄）に関する。
【背景技術】
【０００２】
暗所にてバッグの内部を照らす方法としては、大型の照明機器（大型懐中電灯等）を用いるのは嵩張る為に持ち運びが煩わしいので、小型の照明機器を用いるのが一般的である。例えば、携帯型ＬＥＤライトを、持ち歩くか、あるいは予め吊り下げ可能な取り付け具にてバッグのファスナー等に取り付けておき、必要な時にこのライトを操作して照らす。携帯型ＬＥＤライトの一例が特許文献１に、付属型ＬＥＤライトの一例が特許文献２に、それぞれ開示されている。さらに、特許文献３には、小型照明装置（ＬＥＤライト）をバッグ内部に取り付けた例が開示されている。
【０００３】
しかしながら、このような小型ＬＥＤライトでは、通常、ＬＥＤを透明樹脂で砲弾形状をなすように封止加工された、いわゆる砲弾型ＬＥＤが使用されるが、ＬＥＤ内に設けられたレンズにより照射光の指向角度が狭い範囲に限定されており、バッグ内部を広範囲にわたって照らすことが困難である。書類等、小型ＬＥＤライトに比べて相対的に大きい収納物が、特に大量に収納されている場合は、ライトの前面が覆われてしまうと、他の場所に光が届かない可能性が高い。
【先行技術文献】
【特許文献】
【０００４】
【特許文献１】特開２００２−２４５８０１号
【特許文献２】登録実用新案第３１２６０７６号公報
【特許文献３】登録実用新案第３１３４８３１号公報
【発明の概要】
【発明が解決しようとする課題】
【０００５】
本発明はかかる問題点に鑑みてなされたものであって、物品の収納の邪魔にならず、明所・暗所、昼夜を問わず、バッグ内部を広範囲に照らすことができる照明手段を備え、バッグ内の小物を探す作業が容易に行なえるバッグを提供することを目的とする。
【課題を解決するための手段】
【０００６】
本発明のバッグは、バッグ外部に太陽電池を備え、バッグ内部には前記太陽電池により発生させた電力を蓄電する蓄電池と、前記蓄電池より電力供給を受けて発光する有機ＥＬパネルとを備えることを特徴とする。
【０００７】
また、本発明のバッグは、前記有機ＥＬパネルは、前記バッグの底面及び側面のうち少なくとも１つの面に設置されることを特徴とする。
【０００８】
さらに、本発明のバッグは、前記有機ＥＬパネルは、可撓性を有する基材から構成されることを特徴とする。
【発明の効果】
【０００９】
本発明によれば、パネル表面全体が発光する有機ＥＬパネルを備えるので、バッグ内部を広範囲に照らすことが可能である。また、バッグ外部に太陽電池を備え、バッグ内部には前記太陽電池により発生させた電力を蓄電する蓄電池を備えるので、昼夜あるいは明所・暗所を問わず必要な時に有機ＥＬパネルを発光させることができ、従って常にバッグ内部を照らすことができる。さらに、有機ＥＬパネルは薄板状ないしはシート状であるので、バッグ内に設置されていても収納物の邪魔にならない。
【００１０】
また、本発明によれば、有機ＥＬパネルは、面発光する光源がバッグの底面及び側面のうち少なくとも１つの面に設置されるので、収納物があっても確実にバッグ内部を照らすことができる。
【００１１】
さらに、本発明によれば、有機ＥＬパネルは、可撓性を有する基材から構成されるので、通常の使用時のバッグの変形や撓みに適応でき破損することがない。
【図面の簡単な説明】
【００１２】
【図１】本発明の実施例１のバッグの概略斜視図である。
【図２】本発明の実施例１のバッグのＡ−Ａ断面模式図である。
【図３】本発明の実施例２のバッグの概略斜視図である。
【図４】本発明の実施例２のバッグのＡ−Ａ断面模式図である。
【発明を実施するための形態】
【００１３】
本発明の最良の実施形態として、電源である太陽電池を外部に、太陽電池により発生させた電力を蓄電する蓄電池と、光源である有機ＥＬパネルと、点灯・消灯を切り替えるスイッチと、を内部に備え、有機ＥＬパネルの発光によりバッグ内部全体を照らすことが可能なバッグについて以下に説明する。
【実施例１】
【００１４】
図１は、本発明の実施例１のバッグを示す概略斜視図であり、図２は、同バッグの中央部のＡ−Ａ断面模式図である。
バッグ１０は、例えば合成皮革製手提げバッグ（鞄）であり、底面部１１と、互いに対向する主たる側面部である第一側面部１２、１３と、互いに対向しマチ部として構成されている第二側面部１４、１５と、開口部１６とから構成される。開口部１６には利用時に収納口を開閉するためのファスナー１７を備える。第一側面部１２、１３の外側上部表面には、一対の持ち手１８、１９が設置されている。
【００１５】
太陽電池２１は、バッグ１０の第一側面部１２、１３の少なくとも一方の外側面（この実施例では第一側面部１２の外側面）に貼り付けて設置されている。太陽電池２１は、その大きさについては第一側面部に貼り付け可能であれば制限はないが、できるだけ小さい方が好ましく、また種類についても薄くて軽いものであれば制限はないが、薄板状、シート状あるいはフィルム状のものを用いることができる。太陽電池２１は、有機ＥＬパネルの仕様に合わせた電力が供給可能に構成するが、定格電力が使用する有機ＥＬパネルに合致しない場合は、電流制御抵抗や専用回路を設ける等の措置を適宜講じればよい。
【００１６】
蓄電池２２は、バッグ１０の内部に設置され、電線２４によって太陽電池２１と接続されている。その設置場所はバッグ１０の内部であれば特に制限はないが、太陽電池２１と距離的に近く収納物の邪魔にならない位置に設置するのが好ましい。蓄電池２２は、既存のものを用いることができるが、できるだけ小型のものを採用するのが好ましい。
【００１７】
有機ＥＬパネル２３は、例えば、可撓性を有する材料から成る基材で構成された、矩形のシート状のものが採用され、縁辺部に電力供給端子２８を備えている。有機ＥＬパネル２３は、例えばバッグ１０内部の底面全体を覆う程度の大きさのものが採用され、底面部１１全体に貼り付けて固定される。有機ＥＬパネルをバッグ底面部に設置する場合は、有機ＥＬパネルの基材は、バッグに通常収納する物品の支持に耐え得る程度の剛性を備えることが望ましい。有機ＥＬパネルの基材の材料物質としては、ポリエチレンテレフタレート、ポリエチレンナフタレートなどを例示することができる。
【００１８】
蓄電池２２と有機ＥＬパネル２３とは、有機ＥＬパネルの点灯・消灯を操作するスイッチ２７を介して接続されている。電線２５は蓄電池２２とスイッチ２７とを接続し、電線２６はスイッチ２７と有機ＥＬパネル２３の電力供給端子２８とを接続する。スイッチ２７は、即座に手が届くように、バッグ１０内面のできるだけ上部に設置するのが望ましい。スイッチ２７は、既存製品を適宜選択できるが、小型軽量のものを採用するのが好ましい。
【００１９】
配線部分、すなわち電線２４、２５、２６は、バッグ１０の外部にできるだけ露出させないよう配置するのが望ましい。この実施例では、太陽電池２１から出た電線２４は、直近でバッグ１０の第一側面部１２のバッグ生地を貫通した後、バッグ生地内表面を這うようにして蓄電池２２に到達するまで延伸させ、その位置で内表面に密着固定する。
【実施例２】
【００２０】
図３は、本発明の実施例２のバッグを示す概略斜視図であり、図４は、同バッグの中央部のＡ−Ａ断面模式図である。
実施例２のバッグは、有機ＥＬパネルの設置場所が異なる以外は、実施例１のバッグと同じである。このため、実施例２の有機ＥＬパネル以外の構成部材は、実施例１と同じ符号を付してその説明は省略する。
【００２１】
実施例２のバッグ３０では、有機ＥＬパネル４３は、バッグ３０内部に設置可能な程度の長さの帯状形態を有し、第一側面部１２または１３の内面に、開口部１６寄り上部縁辺部に沿って貼り付けて固定されている。
【００２２】
ここで、本発明の作用効果について説明する。
まず、全般的効果として、バッグ外部に太陽電池を備え、バッグ内部には前記太陽電池により発生させた電力を蓄電する蓄電池を備えるので、有機ＥＬパネルは、昼夜あるいは明所・暗所を問わず必要な時に発光させることができ、従って常にバッグ内部を照らすことができる。
【００２３】
次に、有機ＥＬパネルの特性が生かされた効果として、第一に、光源が薄いシート状であるため、物品の収納の邪魔になることが無いという特有の効果も発揮する。バッグの側面部に設置する場合は勿論のこと、底面部に設置する場合は特に効果が高い。これに対して、従来技術によれば、光源は小型ＬＥＤであり、底面に光源を設置することは、何らかの突起物を底面に敷設することになるので、物品を収納するバッグとしては不適切である。
【００２４】
第二に、有機ＥＬパネルは、バッグ内面に貼り付けて固定される場合でも、本発明では可撓性を有する基材から構成されているので、通常の使用時のバッグの変形や撓みに適応でき破損することが無い。
【００２５】
第三に、パネル表面全体が発光する有機ＥＬパネルを光源に採用したことにより広範囲を照らすことができ、従ってバッグ内部全体を一様に照らすことが潜在的に可能である。
【００２６】
本発明では、有機ＥＬパネルの設置場所によって、それぞれ更に特有の効果を発揮する。実施例１では、バッグ１０の底面部１１の全面にわたって有機ＥＬパネル２３を配置したので、バッグ底面全体が発光することとなる。そこで、バッグ内に収納物が存在してもどこかに底面が露出している箇所がある可能性が高く、もし仮に有機ＥＬパネル２３からの発光を妨げる収納物が大量にある場合でも、指で収納物を掻き分けるなどして底面の少なくとも一部を露出させることができれば、その場所での直射光と、バッグ内面及び収納物表面での反射・散乱によって回り込んだ光とが期待できるので、暗所あるいは夜間においても、バッグ内のどの場所でも、小物や書類（文字）を目視により探し易いという特有の効果を奏する。
【００２７】
本発明では、実施例２のバッグのように、有機ＥＬパネルは、設置に耐え得る程度の剛性を備えたバッグ内部の側面部に設置されていてもよい。また、底面部と側面部、それぞれ別個に設置する組合せであってもよく、２つの側面部に、それぞれ別個に設置する組合せであってもよい。さらに、一つの有機ＥＬパネルは、複数の有機ＥＬパネルを併置して構成してもよい。
【００２８】
実施例２のように、有機ＥＬパネルが第一側面部に設置される場合、収納物が大量にあると、有機ＥＬパネルからの直射光は全部または大部分妨げられるケースが考えられるが、指などで収納物を一時的に移動させるなどして、有機ＥＬパネル面が一部でも露出させることができれば、バッグ内面及び収納物表面での反射・散乱によって回り込んだ光が期待できるので、暗所あるいは夜間においても、バッグ内のどの場所でも、小物や書類（文字）を目視により探し易いという特有の効果を奏する。この場合、設置する有機ＥＬパネルの面積はできるだけ大きい方が効果が大きい。また、収納物によって直射光が妨げられる可能性を小さくするため、有機ＥＬパネルはできるだけ開口部に近い上側に設置するのが好ましい。好適な例としては、実施例２のバッグのように、第一側面部内面上側に帯状に設置するものを挙げることができる。
【００２９】
第二側面部を構成するマチ部が、平面ないし平面に近似した形状である場合には、第二側面部に有機ＥＬパネルを設置することもできる。
【００３０】
上記実施例の説明では、バッグ内部に設置される有機ＥＬパネルの形態は、シート状であったが、本発明はこれに限定されるものではなく、ガラス板等を基板材料に用いて板状に構成してもよいことは勿論である。その場合、有機ＥＬパネルには、可撓性が失われるかまたは乏しくなるが、代わりに剛性が付与される。
【００３１】
また、バッグ内部に設置される有機ＥＬパネル自体は、底面部あるいは側面部に貼り付けるなどして固定されていなくともよい。例えば、透光性部材、網状物で構成された保持手段により付け外し自在にバッグの底面部あるいは側面部に保持されていてもよい。
【００３２】
有機ＥＬパネルが、バッグ内部の底面部または側面部に脱着自在に設置されている場合、有機ＥＬパネルをバッグの外部に取り出すことが可能となり、従って、例えば、災害時、緊急時に利用する懐中電灯代替品として使用することが可能となる。
【産業上の利用可能性】
【００３３】
本発明は、従来から知られているバッグ（鞄）と同様の利用が可能である。
【符号の説明】
【００３４】
１０、３０…バッグ
１１…底面部
１２、１３…第一側面部
１４、１５…第二側面部
１６…開口部
１７…ファスナー
１８、１９…持ち手
２１…太陽電池
２２…蓄電池
２３、４３…有機ＥＬパネル
２４、２５、２６…電線
２７…スイッチ
２８…電力供給端子
【図１】
2015061571.tif 000003
【図２】
2015061571.tif 000004
【図３】
2015061571.tif 000005
【図４】
2015061571.tif 000006